(57)【特許請求の範囲】
【請求項１】
液透過性のトップシートと液不透過性のバックシートとの間に液を吸収するコアが挟まれた吸収性本体と、通気性を有する外装シートとを備え、前記外装シートは前記吸収性本体を介して着用者の股部を覆うと共に、前記吸収性本体が設けられていないウエスト部において前記着用者の前面および背面のウエストを覆う使い捨て着用物品の製造方法において、
前記外装シートがその胴回り方向に直交する長手方向に連続した連続シートを搬送する工程と、
前記吸収性本体が前記長手方向に連続した連続積層体を搬送する工程と、
前記連続積層体の搬送方向の先端部分から前記吸収性本体を次々に切り取る工程と、
前記切り取られた吸収性本体同士を前記吸収性本体の前記長手方向に互いに離間させる工程と、
前記前面および背面の前記ウエスト部において前記外装シートの内面が前記吸収性本体に覆われていない状態となるように、前記各吸収性本体を前記連続シート上に脱着可能に、かつ、間欠的に配置する工程と、
互いに隣り合う前記吸収性本体の間において前記連続シートを切断して、前記吸収性本体が前記外装シート上に配置された個々の着用物品を得る工程とを備え、
ここにおいて、前記外装シートは前記着用者の前記ウエストの前記背面を覆う後ウエスト部に、前記後ウエスト部を伸縮させる弾性バンドが配置され、前記弾性バンドと前記吸収性本体との間において前記外装シートの内面が前記着用者の肌に接するように露出しており、
ここにおいて、前記連続シートの前記長手方向に沿った第１側縁部と第２側縁部とが互いに重なるように前記連続シートが２つに折られる工程と、
前記第１および第２側縁部の一部が括れるように前記第１および第２側縁部が重なった状態で前記第１および第２側縁部の一部をダイカットによりトリミングする工程とを更に備えることを特徴とする使い捨て着用物品の製造方法。
【請求項２】
液透過性のトップシートと液不透過性のバックシートとの間に液を吸収するコアが挟まれた吸収性本体と、通気性を有する外装シートとを備え、前記外装シートは前記吸収性本体を介して着用者の股部を覆うと共に、前記吸収性本体が設けられていないウエスト部において前記着用者の前面および背面のウエストを覆う使い捨て着用物品の製造方法において、
前記外装シートがその胴回り方向に直交する長手方向に連続した連続シートを搬送する工程と、
前記吸収性本体が前記長手方向に連続した連続積層体を搬送する工程と、
前記連続積層体の搬送方向の先端部分から前記吸収性本体を次々に切り取る工程と、
前記切り取られた吸収性本体同士を前記吸収性本体の前記長手方向に互いに離間させる工程と、
前記前面および背面の前記ウエスト部において前記外装シートの内面が前記吸収性本体に覆われていない状態となるように、前記各吸収性本体を前記連続シート上に脱着可能に、かつ、間欠的に配置する工程と、
互いに隣り合う前記吸収性本体の間において前記連続シートを切断して、前記吸収性本体が前記外装シート上に配置された個々の着用物品を得る工程と、
前記連続シートの前記長手方向に沿った第１側縁部と第２側縁部とが互いに重なるように前記連続シートが２つに折られる工程と、
前記第１および第２側縁部の一部が括れるように前記第１および第２側縁部が重なった状態で前記第１および第２側縁部の一部をダイカットによりトリミングする工程とを備える使い捨て着用物品の製造方法。
【請求項３】
請求項１もしくは２において、前記外装シートの内面は雄面ファスナが係合可能な表面を有し、
前記吸収性本体の前記外装シートの前記内面に体面する外面には前記係合可能な内面に対し脱着可能に係合する前記雄面ファスナを配置する工程を更に備えた使い捨て着用物品の製造方法。
【発明の詳細な説明】
【技術分野】
【０００１】
本発明は使い捨て着用物品の製造方法に関する。
【背景技術】
【０００２】
従来より、胴回り方向に直交する長手方向にシートおよびコアを搬送しながら使い捨て着用物品を製造する方法が提案されている（特許文献１参照）。
【先行技術文献】
【特許文献】
【０００３】
【特許文献１】特開平１−１６２８０８号（第４図）
【発明の概要】
【０００４】
前記特許文献１に開示された製造方法は、連続したトップシートとバックシートの間に、液を吸収するコアが間欠的に配置されて積層体が形成され、その後、前記積層体が個々の使い捨て着用物品に切り分けられる。
【０００５】
しかし、前記特許文献１の使い捨て着用物品を着用すると、着用者の前後のウエスト部が液不透過性のバックシートで覆われ、これがムレの生じる原因となる。また、バックシートおよびトップシートが使い捨て着用物品の全長に渡って存在するため、材料の無駄が生じる。
【０００６】
したがって、本発明の主目的は、ウエスト部においてムレが生じにくく、かつ、材料の無駄が生じない使い捨て着用物品の製造方法を提供することである。
【０００７】
本発明のある態様の使い捨て着用物品の製造方法は、液透過性のトップシートと液不透過性のバックシートとの間に液を吸収するコアが挟まれた吸収性本体と、通気性を有する外装シートとを備え、前記外装シートは前記吸収性本体を介して着用者の股部を覆うと共に、前記吸収性本体が設けられていないウエスト部において前記着用者の前面および背面のウエストを覆う使い捨て着用物品の製造方法において、前記外装シートがその胴回り方向に直交する長手方向に連続した連続シートを搬送する工程と、前記吸収性本体が前記長手方向に連続した連続積層体を搬送する工程と、前記連続積層体の搬送方向の先端部分から前記吸収性本体を次々に切り取る工程と、前記切り取られた吸収性本体同士を前記吸収性本体の前記長手方向に互いに離間させる工程と、前記前面および背面の前記ウエスト部において前記外装シートの内面が前記吸収性本体に覆われていない状態となるように、前記各吸収性本体を前記連続シート上に脱着可能に、かつ、間欠的に配置する工程と、互いに隣り合う前記吸収性本体の間において前記連続シートを切断して、前記吸収性本体が前記外装シート上に配置された個々の着用物品を得る工程とを備えている。
【０００８】
本発明によれば、前記外装シート上に吸収性本体が配置される。そのため、外装シートよりも吸収性本体を短くできる。前記外装シートのウエスト部は前記吸収性本体により覆われていない。したがって、前記外装シートとして通気性の良い素材（たとえば不織布など）を採用することで、ウエスト部の通気性が向上し、ムレが生じるおそれがなくなる。
また、トップシートおよびバックシートは、外装シートよりも小さな吸収性本体を形成する。そのためトップシートおよびバックシートの面積が大幅に小さくなる。したがって、材料の無駄が生じない。
【図面の簡単な説明】
【０００９】
【図１】図１Ａ〜図１Ｃは、それぞれ、本発明の実施例１にかかる使い捨て着用物品の製造方法を示す概略平面図である。
【図２】図２Ａは同製造工程の一部を示す概略側面図、図２Ｂは図１Ｂの IIB-IIB線概略断面図、図２Ｃは図１Ｃの IIC-IIC線概略断面図である。
【図３】図３Ａは同製造方法によって製造された着用物品を示す概略平面図、図３Ｂは図３ＡのIIIB-IIIB線概略断面図である。
【図４】図４Ａ〜図４Ｃは、それぞれ、実施例２を示す概略平面図である。
【発明を実施するための形態】
【００１０】
本発明の好ましい態様において、前記外装シートは前記着用者の前記ウエストの前記背面を覆う後ウエスト部に、前記後ウエスト部を伸縮させる弾性バンドが配置され、前記弾性バンドと前記吸収性本体との間において前記外装シートの内面が前記着用者の肌に接するように露出している。
【００１１】
かかる態様によれば、後ウエスト部に設けた弾性バンドにより、ウエストにおいて使い捨て着用物品がフィットし、着用感が向上する。ここで、前記弾性バンドと吸収性本体との間において外装シートの内面が肌に接するように露出している。そのため、後ウエスト部における通気性が保たれる。
【００１２】
本発明の好ましい態様において、前記連続シートの前記長手方向に沿った第１側縁部と第２側縁部とが互いに重なるように前記連続シートが２つに折られる工程と、前記第１および第２側縁部の一部が括れるように前記第１および第２側縁部が重なった状態で前記第１および第２側縁部の一部をダイカットによりトリミングする工程とを更に備えている。
【００１３】
かかる態様によれば、連続シートを２つに折った後に連続シートの第１および第２側縁部の一部が互いに二重に重なった状態でダイカットされる。１枚のシートをダイカットすることは技術的に難しいのに対し、二重に重なった連続シートをダイカットすることはカットがし易くなる。
【００１４】
本発明の好ましい態様において、前記外装シートの内面は雄面ファスナが係合可能な表面を有し、前記吸収性本体の前記外装シートの前記内面に対面する外面には前記係合可能な内面に対し脱着可能に係合する前記雄面ファスナを配置する工程を更に備えている。
【００１５】
かかる態様によれば、雄面ファスナにより吸収性本体が外装シートに対して脱着可能となり、吸収性本体の脱着が容易である。
【００１６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例１】
【００１７】
以下、本発明の実施例が図面にしたがって説明される。
図１〜図３Ｂは実施例１を示す。
オムツ１：
図３Ａに示すように、オムツ（着用物品の一例）１は、着用者の股間を覆う股部１０、着用者の腹側を覆う前胴部１１および着用者の背側を覆う後胴部１２とを備える。【００１８】
前記オムツ１は吸収性本体２および外装シート３を備えている。
前記外装シート３は、通気性を有する素材（たとえば不織布）で形成されている。
図２Ｂに示すように、前記吸収性本体２は、液透過性のトップシート２０と液不透過性のバックシート２１との間に、液を吸収するコア２２が挟まれてなる。
前記コア２２は、たとえば、パルプおよび高吸収性ポリマーなどからなる。【００１９】
前記コア２２には親水性の不織布が配置されていてもよい。トップシート２０はコア２２の内面を覆う不織布からなり、横漏れ防止用の立体用不織布（カフ）２００が設けられていてもよい。前記バックシート２１はコア２２の外面を覆う。【００２０】
図３Ａに示すように、前記吸収性本体２は外装シート３の内面３ａ上に配置されて脱着可能に接合される。
前記外装シート３の前胴部１１および後胴部１２には、吸収性本体２で覆われていない前ウエスト部１３および後ウエスト部１４がそれぞれ形成されている。【００２１】
図１Ａおよび図３Ｂに示すように、外装シート３の内面３ａには一対の雌面ファスナ１００が貼り付けられている。図３Ａの前記一対の雌面ファスナ１００は外装シート３における搬送方向Ｘに互いに離間した前胴部１１および後胴部１２の部位に配置され、胴回り方向Ｙに長く延びている。【００２２】
一方、図１Ｂおよび図３Ｂに示すように、吸収性本体２の前記外装シート３の内面３ａに対面する外面２ｂには一対の雄面ファスナ１０１が貼り付けられている。図３Ａの前記一対の雄面ファスナ１０１は吸収性本体２における搬送方向Ｘに互いに離間した吸収性本体２の端部に配置され、胴回り方向Ｙに長く延びている。【００２３】
前記雄面ファスナ１０１は前記雌面ファスナ１００に対し脱着可能に係合する。これにより、吸収性本体２が外装シート３に対し脱着可能に取り付けられる。【００２４】
前記外装シート３の内面３ａが不織布で形成される場合、前記雌面ファスナ１００を必ずしも設ける必要はない。
また、前記雌面ファスナ１００を吸収性本体２に設け、前記雄面ファスナ１０１を外装シート３に設けてもよい。【００２５】
着用者の背側を覆う前記後ウエスト部１４には、該後ウエスト部１４を胴回り方向Ｙに伸縮させる弾性バンド４が配置されている。前記弾性バンド４としては、たとえば、複数本の糸ゴムや平ゴム、フィルムまたは熱可塑性樹脂を含む材料などを採用することができる。【００２６】
したがって、オムツ１の着用時には、不織布からなる外装シート３の内面３ａが前ウエスト部１３において着用者の肌に接する。一方、後ウエスト部１４の弾性バンド４と吸収性本体２との間において外装シート３の内面３ａが着用者の肌に接する。【００２７】
前記オムツ１の後ウエスト部１４の胴回り方向Ｙの両端部には、たとえば、雄面ファスナからなる接合部材５がそれぞれ設けられている。なお、接合部材５は、雄面ファスナの他に、たとえば、粘着剤が塗布されたテープであってもよい。
外装シート３のレッグホールＬｈに対応する吸収性本体２の胴回り方向Ｙの両側縁部近傍には、該外装シート３が着用者の脚回りに沿うように、たとえば糸ゴムからなる弾性体６が配置されている。【００２８】
したがって、オムツ１の着用時には、後ウエスト部１４が接合部材５を介して前ウエスト部１３に接合されて着用者の胴回りを締めつけることによりオムツ１が固定される。伸張された弾性バンド４が縮むことで、オムツ１が着用者のウエストにフィットする。一方、レッグホールＬｈ近傍に配置された弾性体６が縮み、オムツ１が着用者の足回りにフィットする。【００２９】
つぎに、前記オムツ１の製造方法について説明する。
連続シートＷ１を２つに折る工程：
図１Ａに示すように、不織布からなる連続シートＷ１が搬送方向Ｘ１に搬送される。前記連続シートＷ１は、図３の外装シート３がその胴回り方向Ｙに直交する長手方向Ｘに連続したものである。【００３０】
図１Ａに示すように、前記連続シートＷ１は搬送方向Ｘ１に搬送されながら胴回り方向Ｙに２つに折られる。連続シートＷ１は、その長手方向Ｙに沿った第１側縁部３１と第２側縁部３２とが互いに重なるように２つに折られる。すなわち、連続シートＷ２は仮想の中心線Ｃを中心に、連続シートＷ１の第１側縁部３１の内面３ａと第２側縁部３２の内面３ａとが互いに接するように２つに折られる。【００３１】
トリミング工程：
その後、前記第１および第２側縁部３１，３２の一部が括れるように第１および第２側縁部３１，３２が互いに重なった状態で、該第１および第２側縁部３１，３２の一部がダイカットによりトリミングされてレッグホールＬｈが形成される。【００３２】
前記トリミング後、第１および第２側縁部３１，３２が互いに離れるように開かれた後、弾性バンド４および接合部材５が所定の間隔で配置される。
さらに、胴回り方向Ｙに長く延びる一対の雌面ファスナ１００が搬送方向Ｘに互いに離間した前胴部１１および後胴部１２（図３Ａ）の部位に配置される。【００３３】
吸収性本体２を切り取る工程：
一方、図１Ｂに示すように、連続積層体Ｗ２が搬送方向Ｘ１に搬送される。前記連続積層体Ｗ２は、図３の吸収性本体２がその胴回り方向Ｙに直交する長手方向Ｘに連続したものである。
前記連続積層体Ｗ２は、連続するトップシート２０と連続するバックシート２１との間にコア２２が挟まれたものである。図１Ｂの破線で示すように、前記コア２２はトップシート２０とバックシート２１との間に間欠的に配置される。
また、胴回り方向Ｙに長く延びる前記一対の雄面ファスナ１０１が吸収性本体２における搬送方向Ｘに互いに離間した吸収性本体２の端部に配置される。【００３４】
前記連続積層体Ｗ２は、該連続積層体Ｗ２の搬送方向Ｘ１の先端部分から、胴回り方向Ｙに概ね平行な第１切断線ＣＬ１に沿って吸収性本体２が次々に切り取られる。吸収性本体２の製造方法としては、たとえば、図２Ａに示すように、前記連続積層体Ｗ２が、第１コンベヤ５１により搬送されながら、回転カッタ４０によって所定の間隔に切断され、個々の吸収性本体２が次々に切り取られる。【００３５】
離間工程：
前記切断後、図１Ｂに示すように、切り取られた吸収性本体２同士が長手方向Ｘに互いに離間される。前記吸収性本体２の離間方法としては、たとえば、図２Ａに示すように、吸収性本体２が第１コンベヤ５１からリピッチ装置６０に受け渡された後、該リピッチ装置６０によって互いに離間される。
前記リピッチ装置６０は、吸収性本体２を受け取る複数のパッド６１を備えており、該パッド６１が互いに離れるように回転移動することにより、吸収性本体２同士が互いに離間される。前記リピッチ装置６０としては、たとえば、特開２００６−２１２３０７に開示されたリピッチドラムを採用することができる。【００３６】
吸収性本体２を配置する工程：
図１Ｃに示すように、前記連続シートＷ１には、前記レッグホールＬｈの近傍に、たとえば糸ゴムからなる弾性体６が長手方向Ｘに沿って間欠的に配置された後、前記吸収性本体２が連続シートＷ１上に間欠的に配置される。
吸収性本体２を連続シートＷ１に配置するには、たとえば、図２Ａに示すように、前記リピッチ装置６０によって離間された吸収性本体２を、第２コンベヤ５２上を搬送される連続シートＷ１の内面３ａ上に配置する。
前記配置の際、前記吸収性本体２の前記外面２ｂに貼り付けられた前記一対の雄面ファスナ１０１と前記連続シートＷ１の内面３ａに貼り付けられた雌面ファスナ１００とが脱着可能に係合することで、前記吸収性本体２が前記連続シートＷ１に対し脱着可能に取り付けられる。【００３７】
オムツ１を得る工程：
その後、図１Ｃに示すように、胴回り方向Ｙに概ね平行な第２切断線ＣＬ２に沿って連続シートＷ１が切断されて、吸収性本体２が連続シートＷ１上に配置された個々のオムツ１が得られる。
【実施例２】
【００３８】
なお、図４の実施例２に示すように、連続シートＷ１は隣り合うオムツ１となる前胴部１１同士と、後胴部１２同士が互いに接するように形成されてもよい。
すなわち、図４Ａに示すように、隣り合う後胴部１２には、それぞれ、接合部材５が配置されると共に、１枚の弾性シート４Ａが配置される。
図４Ｃに示すように、前記隣り合う後胴部１２が第２切断線ＣＬ２で切断されると、前記弾性シート４Ａが分割されて、それぞれ弾性バンド４となる。
その他の構成は、実施例１と同様であり、同一部分または相当部分に同一符号を付して、その説明を省略する。【００３９】
以上のとおり、図面を参照しながら好適な実施例を説明したが、当業者であれば、本明細書を見て、自明な範囲内で種々の変更および修正を容易に想定するであろう。
たとえば、外装シートは２枚の不織布で構成されていてもよい。また、２枚の外装シートの間に弾性体が配置されてもよい。
さらに、本製造方法によって製造されるオムツは、前胴部と後胴部の端部同士が互いに接合された、いわゆるパンツ型オムツであってもよい。
したがって、そのような変更および修正は、請求の範囲から定まる本発明の範囲内のものと解釈される。
【産業上の利用可能性】
【００４０】
本発明は使い捨て着用物品の製造方法に用いることができる。
【符号の説明】
【００４１】
１：オムツ（着用物品の一例）
２：吸収性本体
３：外装シート
３ａ：内面
３Ｃ：切断シート
４：弾性バンド
１０：股部
１３：前ウエスト部
１４：後ウエスト部
２０：トップシート
２１：バックシート
２２：コア
３１：第１側縁部
３２：第２側縁部
Ｃ１：第１の切断シート
Ｃ２：第２の切断シート
Ｗ１：連続シート
Ｗ２：連続積層体
Ｘ：長手方向
Ｙ：胴回り方向
【図１】
0005581517.tif 000002
【図２】
0005581517.tif 000003
【図３】
0005581517.tif 000004
【図４】
0005581517.tif 000005